(57)【要約】【課題】放射性物質の分布状況を可視化するカメラを小型化する。【解決手段】放射線データを測定するセンサモジュール１と、センサモジュール１を冷却することにより生成される熱を放熱する放熱部１４−１〜１４−２と、電気機器と、放熱部１４−１〜１４−２を冷却する第１流体の流れを生成するファン１５−１〜１５−２とを備えている。このような放射性物質可視化カメラ１０は、さらに、第１流体が流れる第１流路と、電気機器を冷却する第２流体が流れる第２流路と、第１流体の流れを用いて第２流路から第１流路に第２流体を吸引する合流部とが形成されている。このようなカメラは、第２流体を第２流路に流すファンをさらに備える他のカメラに比較して、より小型に形成されることができる。【選択図】図１
2014185909.tif 000002
【特許請求の範囲】
【請求項１】
放射線を受けることにより放射性物質の分布状況を可視化する放射線データを測定するセンサモジュールと、
前記センサモジュールを冷却することにより生成される熱を放熱する放熱部と、
前記センサモジュールと異なる発熱部と、
前記放熱部を冷却する第１流体の流れを生成するファンと、
ケースとを備え、
前記ケースは、
前記第１流体が流れる第１流路と、
前記発熱部を冷却する第２流体が流れる第２流路と、
前記第１流体の流れを用いて前記第２流路から前記第１流路に前記第２流体を吸引する合流部とを形成するカメラ。
【請求項２】
前記発熱部は、前記センサモジュールを制御する電気機器である請求項１に記載されるカメラ。
【請求項３】
前記センサモジュールに熱的に接触する熱伝導部材をさらに備え、
前記電気機器は、前記熱伝導部材より鉛直上側に配置されている請求項２に記載されるカメラ。
【請求項４】
前記ケースは、前記第１流体を前記第２流体に供給する吸気口をさらに形成し、
前記吸気口は、前記電気機器より鉛直下側に配置される請求項２〜請求項３のうちのいずれか一項に記載されるカメラ。
【請求項５】
前記第２流路は、前記第２流体が前記センサモジュールの周囲を流れるように形成される請求項１〜請求項４のうちのいずれか一項に記載されるカメラ。
【発明の詳細な説明】
【技術分野】
【０００１】
本発明は、カメラに関し、特に、放射性物質の分布状況を可視化することに利用されるカメラに関する。
【背景技術】
【０００２】
放射性物質の分布状況を可視化する「放射性物質見える化カメラ」が知られている。その放射性物質見える化カメラは、冷却装置とセンサモジュールとを備えている。その冷却装置は、そのセンサモジュールを冷却する。そのセンサモジュールは、所定の温度以下に冷却されているときに、放射性物質の分布状況を示す放射線データを測定する。
特許第４１３８１０７号公報には、Ｘ線やガンマ線等の放射線を測定する放射線検出器が開示されている。その放射線検出器は、半導体放射線検出素子が電子冷却素子によって冷却されることにより、信号雑音比を向上させている。
【先行技術文献】
【特許文献】
【０００３】
【特許文献１】特許第４１３８１０７号公報
【発明の概要】
【発明が解決しようとする課題】
【０００４】
その放射性物質見える化カメラは、発熱する発熱部をセンサモジュールと別個に備えていることがある。このような放射性物質見える化カメラは、その発熱部を冷却することが望まれ、かつ、小型化されることが望まれている。
【０００５】
本発明の課題は、小型であるカメラを提供することにある。
【課題を解決するための手段】
【０００６】
本発明によるカメラは、放射線を受けることにより放射性物質の分布状況を可視化する放射線データを測定するセンサモジュールと、そのセンサモジュールを冷却することにより生成される熱を放熱する放熱部と、そのセンサモジュールと異なる発熱部と、その放熱部を冷却する第１流体の流れを生成するファンと、ケースとを備えている。このとき、そのケースは、その第１流体が流れる第１流路と、その発熱部を冷却する第２流体が流れる第２流路と、その第１流体の流れを用いてその第２流路からその第１流路にその第２流体を吸引する合流部とを形成している。
【０００７】
このようなカメラは、第１流体と第２流体とを用いてセンサモジュールと発熱部との両方を適切に冷却することができ、その放射線データを適切に測定することができる。このようなカメラは、さらに、その第２流体を第２流路に流すファンをさらに備える他のカメラに比較して、より軽量に形成されることができる。
【０００８】
その発熱部は、そのセンサモジュールを制御する電気機器である。このようなカメラは、電子機器を適切に冷却することにより、センサモジュールをより適切に動作させることができる。
【０００９】
本発明によるカメラは、そのセンサモジュールに熱的に接触する熱伝導部材をさらに備えている。このとき、その電気機器は、その熱伝導部材より鉛直上側に配置されている。このようなカメラは、熱伝導部材に結露した水滴が電気機器に接触し難く、その水滴が電気機器に及ぼす悪影響を低減することができる。
【００１０】
そのケースは、その第２流体に供給する吸気口をさらに形成している。その吸気口は、その電気機器より鉛直下側に配置されている。このようなカメラは、吸気口から侵入した水滴が電気機器に接触し難く、その水滴が電気機器に及ぼす悪影響を低減することができる。
【００１１】
その第２流路は、その第２流体がそのセンサモジュールの周囲を流れるように形成されている。このようなカメラは、センサモジュールに外部から熱が伝熱されることが低減され、センサモジュールを適切に冷却することができる。
【発明の効果】
【００１２】
本発明によるカメラは、センサモジュールと発熱部との両方を適切に冷却することができ、さらに、その発熱部を冷却するファンをさらに備える他のカメラに比較して、より軽量に形成されることができる。
【図面の簡単な説明】
【００１３】
【図１】放射性物質可視化カメラの実施の形態を示す断面図である。
【図２】放射性物質可視化カメラの実施の形態を示す横断面図である。
【図３】放射性物質可視化カメラの実施の形態を示す背面図である。
【図４】放射性物質可視化カメラの実施の形態を示す下面図である。
【図５】放射性物質可視化カメラの実施の形態を示す上面透過図である。
【図６】放射性物質可視化カメラの実施の形態を示す側面透過図である。
【図７】放射性物質可視化カメラの実施の他の形態を示す上面図である。
【図８】放射性物質可視化カメラの実施の他の形態を示す横断面図である。
【図９】放射性物質可視化カメラの実施の他の形態を示す断面図である。
【図１０】放射性物質可視化カメラの実施の他の形態を示す縦断面図である。
【図１１】放射性物質可視化カメラの実施の他の形態を示す縦断面図である。
【発明を実施するための形態】
【００１４】
図面を参照して、カメラの実施の形態が以下に記載される。その放射性物質可視化カメラ１０は、図１に示されているように、センサモジュール１と冷却装置２とケース３とを備えている。センサモジュール１は、センサケース５と撮像用センサ６と断熱材７とを備えている。
【００１５】
センサケース５は、内部を密閉する容器に形成されている。撮像用センサ６は、センサケース５の内部に配置されている。撮像用センサ６は、放射性物質から放射される放射線を受けているときに、後述される電気機器に制御されることにより、その放射性物質の分布状況を可視化する放射線データを測定する。その放射線データは、複数の方向とその複数の方向に対応する複数の放射能データとを示している。その複数の放射能データのうちのある方向に対応する放射能データは、放射性物質可視化カメラ１０からその方向に配置される放射性物質の核種を示し、その核種の物質量を示している。
【００１６】
断熱材７は、センサケース５が形成される材料の熱伝導率より小さい熱伝導率を有する材料から形成されている。断熱材７は、センサケース５を覆っている。
【００１７】
センサモジュール１は、センサケース５により密閉された閉空間に撮像用センサ６が配置されることにより、撮像用センサ６が結露することを防止している。センサモジュール１は、センサケース５が断熱材７に覆われていることにより、放射性物質可視化カメラ１０の外部の熱が撮像用センサ６に伝熱することを防止している。
【００１８】
冷却装置２は、アルミプラグ１１と第１ペルチェ冷却器１２−１と第１放熱器１４−１と第１ファン１５−１とを備えている。アルミプラグ１１は、金属アルミニウムから形成されている。アルミプラグ１１は、内側部分と外側部分とから形成され、その内側部分と外側部分とは熱的に接触している。その内側部分は、センサケース５の内部に配置され、センサモジュール１に熱的に接触している。その外側部分は、センサケース５の外部に配置されている。
【００１９】
第１ペルチェ冷却器１２−１は、ペルチェ素子を備えている。第１ペルチェ冷却器１２−１は、アルミプラグ１１と第１放熱器１４−１との間に配置され、アルミプラグ１１と第１放熱器１４−１とを結ぶ第１直線１６−１に交差するように配置されている。第１ペルチェ冷却器１２−１は、さらに、アルミプラグ１１に熱的に接触している。第１ペルチェ冷却器１２−１は、後述される電気機器に制御されることにより、そのペルチェ素子を用いて、第１アルミプラグ１１から第１放熱器１４−１に熱を移動させる。すなわち、第１ペルチェ冷却器１２−１は、第１放熱器１４−１を加熱し、アルミプラグ１１を冷却する。
【００２０】
第１放熱器１４−１は、第１直線１６−１に交差するように、かつ、アルミプラグ１１と第１放熱器１４−１との間に第１ペルチェ冷却器１２−１が配置されるように、配置されている。第１放熱器１４−１は、第１ペルチェ冷却器１２−１に熱的に接触している。第１放熱器１４−１は、第１ペルチェ冷却器１２−１に接触している側の反対側に複数のフィンが形成されている。
【００２１】
第１ファン１５−１は、第１直線１６−１に交差するように、かつ、第１ファン１５−１と第１ペルチェ冷却器１２−１との間に第１放熱器１４−１が配置されるように、配置されている。第１ファン１５−１は、後述される電気機器に制御されることにより、第１放熱器１４−１に形成されている複数のフィンに向けて外気を送風する。
【００２２】
冷却装置２は、さらに、第２ペルチェ冷却器１２−２と第２放熱器１４−２と第２ファン１５−２とを備えている。
【００２３】
第２ペルチェ冷却器１２−２は、ペルチェ素子を備えている。第２ペルチェ冷却器１２−２は、アルミプラグ１１と第２放熱器１４−２との間に配置され、アルミプラグ１１と第２放熱器１４−２とを結ぶ第２直線１６−２に交差するように配置されている。第２ペルチェ冷却器１２−２は、さらに、アルミプラグ１１に熱的に接触している。第２ペルチェ冷却器１２−２は、後述される電気機器に制御されることにより、そのペルチェ素子を用いて、アルミプラグ１１から第２放熱器１４−２に熱を移動させる。すなわち、第２ペルチェ冷却器１２−２は、第２放熱器１４−２を加熱し、アルミプラグ１１を冷却する。
【００２４】
第２放熱器１４−２は、第２直線１６−２に交差するように、かつ、アルミプラグ１１と第２放熱器１４−２との間に第２ペルチェ冷却器１２−２が配置されるように、配置されている。第２放熱器１４−２は、第２ペルチェ冷却器１２−２に熱的に接触している。第２放熱器１４−２は、第２ペルチェ冷却器１２−２に接触している側の反対側に複数のフィンが形成されている。
【００２５】
第２ファン１５−２は、第２直線１６−２に交差するように、かつ、第２ファン１５−２と第２ペルチェ冷却器１２−２との間に第２放熱器１４−２が配置されるように、配置されている。第２ファン１５−２は、後述される電気機器に制御されることにより、第２放熱器１４−２に形成されている複数のフィンに向けて外気を送風する。
【００２６】
冷却装置２は、さらに、第１直線１６−１と第２直線１６−２とが交差するように、第１直線１６−１と第２直線１６−２とが交差する点がアルミプラグ１１に重なるように、形成されている。すなわち、第１放熱器１４−１の中央から第２放熱器１４−２の中央までの距離は、第１ペルチェ冷却器１２−１の中央から第２ペルチェ冷却器１２−２の中央までの距離より長い。このとき、第１放熱器１４−１と第２放熱器１４−２とは、比較的大きく形成されることができ、空気に接触する面の面積を比較的大きくすることができる。
【００２７】
ケース３は、放射性物質可視化カメラ１０の外殻を形成している。すなわち、センサモジュール１と冷却装置２とは、ケース３の内部に配置されている。
【００２８】
放射性物質可視化カメラ１０は、さらに、図２に示されるように、電気機器２０を備えている。電気機器２０は、冷却装置２の鉛直上側に配置されている。電気機器２０は、撮像用センサ６に電気的に接続され、情報伝達可能に接続されている。電気機器２０は、撮像用センサ６に電力を供給し、放射性物質の分布状況を可視化する放射線データが測定されるように、撮像用センサ６を制御する。電気機器２０は、さらに、第１ペルチェ冷却器１２−１と第２ペルチェ冷却器１２−２とに電力を供給し、撮像用センサ６が冷却されるように、第１ペルチェ冷却器１２−１と第２ペルチェ冷却器１２−２とを制御する。電気機器２０は、さらに、第１ファン１５−１と第２ファン１５−２とに電力を供給し、第１放熱器１４−１と第２放熱器１４−２とが風に当たるように、第１ファン１５−１と第２ファン１５−２とを制御する。
【００２９】
ケース３は、図３に示されるように、第１吸気口２１−１と第２吸気口２１−２と背面排気口２２とが背面に形成されている。ケース３は、さらに、図４に示されるように、下面吸気口２３と第１下面排気口２４−１と第２下面排気口２４−２とが下面に形成されている。
【００３０】
第１吸気口２１−１は、図１に示されるように、第１直線１６−１に重なるように、第１吸気口２１−１と第１放熱器１４−１との間に第１ファン１５−１が配置されるように、形成されている。第２吸気口２１−２は、第２直線１６−２に重なるように、第２吸気口２１−２と第２放熱器１４−２との間に第２ファン１５−２が配置されるように、形成されている。このとき、第１ファン１５−１は、ケース３の外部の空気を第１吸気口２１−１から吸気し、その空気を第１放熱器１４−１に送風する。このとき、第２ファン１５−２は、ケース３の外部の空気を第２吸気口２１−２から吸気し、その空気を第２放熱器１４−２に送風する。
【００３１】
放射性物質可視化カメラ１０は、さらに、図５に示されるように、仕切り板３５を備えている。仕切り板３５は、板に形成されている。仕切り板３５は、ケース３の内部に配置され、電気機器２０と冷却装置２との間に配置されている。放射性物質可視化カメラ１０は、さらに、図６に示されるように、仕切り板３６を備えている。仕切り板３６は、板に形成されている。仕切り板３６は、ケース３の内部に配置されている。
【００３２】
仕切り板３５と仕切り板３６とは、ケース３とともに、後方ペルチェ冷却系流路４１と第２下方ペルチェ冷却系流路４２−２とを形成している。後方ペルチェ冷却系流路４１は、第１放熱器１４−１に接触した空気と第２放熱器１４−２に接触した空気とを背面排気口２２から排気する。第２下方ペルチェ冷却系流路４２−２は、第２放熱器１４−２に接触した空気を第２下面排気口２４−２から排気する。
【００３３】
仕切り板３５と仕切り板３６とは、図１に示されるように、ケース３とともに、第１下方ペルチェ冷却系流路４２−１を形成している。第１下方ペルチェ冷却系流路４２−１は、第１放熱器１４−１に接触した空気を第１下面排気口２４−１から排気する。
【００３４】
仕切り板３５と仕切り板３６とは、図６に示されるように、ケース３とともに、さらに、筐体内部冷却系流路４３と合流部４４とを形成している。合流部４４は、後方ペルチェ冷却系流路４１の途中に形成され、第１放熱器１４−１および第２放熱器１４−２から背面排気口２２までの間に形成されている。筐体内部冷却系流路４３は、センサモジュール１とケース３との間に形成され、電気機器２０とケース３との間に形成されている。筐体内部冷却系流路４３は、下面吸気口２３に接続され、合流部４４に接続されている。このとき、合流部４４は、後方ペルチェ冷却系流路４１に空気が流れることにより、空気を筐体内部冷却系流路４３から後方ペルチェ冷却系流路４１に吸引する。すなわち、合流部４４は、後方ペルチェ冷却系流路４１を空気が流れているときに、後方ペルチェ冷却系流路４１を流れる空気の流れを用いて、空気を筐体内部冷却系流路４３から後方ペルチェ冷却系流路４１に吸引する。
【００３５】
このような放射性物質可視化カメラ１０は、第１直線１６−１と第２直線１６−２とが平行であるカメラに比較して、アルミプラグ１１をよりコンパクトに形成することができ、よりコンパクトに形成されることができる。
【００３６】
放射性物質可視化カメラ１０の動作は、冷却動作と撮影動作とを備えている。その冷却動作は、電気機器２０により実行される。電気機器２０は、まず、第１ファン１５−１を制御することにより、第１吸気口２１−１から吸気された空気を第１放熱器１４−１に向けて送風し、第２ファン１５−２を制御することにより、第２吸気口２１−２から吸気された空気を第２放熱器１４−２に向けて送風する。電気機器２０は、さらに、第１ペルチェ冷却器１２−１を制御することにより、アルミプラグ１１から第１放熱器１４−１に熱を移動させ、第２ペルチェ冷却器１２−２を制御することにより、アルミプラグ１１から第２放熱器１４−２に熱を移動させる。
【００３７】
放射性物質可視化カメラ１０は、その冷却動作が実行されることにより、第１ペルチェ冷却器１２−１と第２ペルチェ冷却器１２−２とによりアルミプラグ１１が冷却される。撮像用センサ６は、アルミプラグ１１が冷却されることにより、冷却される。
【００３８】
第１放熱器１４−１は、その冷却動作が実行されるときに、第１ペルチェ冷却器１２−１により加熱される。第１放熱器１４−１は、第１放熱器１４−１の温度が外気温より高温であるときに、第１ファン１５−１により送風される空気に接触することにより、冷却される。第２放熱器１４−２も、第１放熱器１４−１と同様にして、第１ファン１５−１により冷却される。第１ペルチェ冷却器１２−１と第２ペルチェ冷却器１２−２とは、第１放熱器１４−１と第２放熱器１４−２とが冷却されることにより、撮像用センサ６を高効率に冷却することができる。
【００３９】
合流部４４は、第１ファン１５−１と第２ファン１５−２とにより送風される空気が後方ペルチェ冷却系流路４１に流れているときに、後方ペルチェ冷却系流路４１を流れる空気の流れを用いて、空気を筐体内部冷却系流路４３から後方ペルチェ冷却系流路４１に吸引する。筐体内部冷却系流路４３は、合流部４４により空気が吸引されることにより、下面吸気口２３から空気を吸気し、その空気をセンサモジュール１とケース３との間に流し、その空気を電気機器２０の周辺に流す。
【００４０】
その撮影動作は、その冷却動作が実行されているときに実行される。電気機器２０は、撮像用センサ６に電力を供給し、撮像用センサ６を制御することにより、放射線データを測定する。その放射線データは、複数の方向とその複数の方向に対応する複数の放射能データとを示している。その複数の放射能データのうちのある方向に対応する放射能データは、放射性物質可視化カメラ１０からその方向に配置される放射性物質の核種を示し、その核種の物質量を示している。電気機器２０は、その放射線データを外部機器に出力する。
【００４１】
その放射線データは、解析されることにより、放射性物質可視化画像に加工される。その放射性物質可視化画像は、その複数の方向に対応する複数の領域から形成されている。その複数の領域のうちのある方向に対応する領域には、その方向に配置される被写体の像が写し出され、その複数の放射能データのうちのその方向に対応する放射能データがその被写体の像に重ねて表示されている。このような放射性物質可視化画像は、放射性物質の分布状況をよりわかりやすく表示することができる。
【００４２】
このような放射性物質可視化カメラ１０によれば、電気機器２０は、その空気が筐体内部冷却系流路４３を流れることにより、冷却され、過熱されることが防止される。放射性物質可視化カメラ１０は、電気機器２０が過熱することを防止することにより、撮像用センサ６と第１ペルチェ冷却器１２−１と第２ペルチェ冷却器１２−２と第１ファン１５−１と第２ファン１５−２とを適切に制御することができる。放射性物質可視化カメラ１０は、第１ペルチェ冷却器１２−１と第２ペルチェ冷却器１２−２と第１ファン１５−１と第２ファン１５−２とが適切に制御されることにより、撮像用センサ６を適切に冷却することができる。放射性物質可視化カメラ１０は、撮像用センサ６が適切に制御されることにより、その放射線データを適切に測定することができる。
【００４３】
ケース３は、放射性物質可視化カメラ１０が屋外で使用されているときに、日光に照射され、高温になることがある。このような放射性物質可視化カメラ１０によれば、センサモジュール１は、その空気が筐体内部冷却系流路４３を流れることにより、ケース３から伝熱する熱量を低減し、日光により加熱されることが防止される。センサモジュール１は、ケース３から伝熱する熱量が低減されることにより、撮像用センサ６を適切に冷却することができ、放射線データを適切に測定することができる。
【００４４】
放射性物質可視化カメラ１０は、さらに、後方ペルチェ冷却系流路４１を流れる空気の流れを用いて筐体内部冷却系流路４３に空気を流すことにより、筐体内部冷却系流路４３に空気を送風するファンを利用することなく、筐体内部冷却系流路４３に空気を流すことができる。このため、放射性物質可視化カメラ１０は、筐体内部冷却系流路４３に空気を送風するファンを備える他の放射性物質可視化カメラに比較して、より軽量に、より小型に形成されることができる。
【００４５】
放射性物質可視化カメラ１０は、アルミプラグ１１が冷却されることにより、アルミプラグ１１の周辺が結露し、その結露した水滴が落下することがある。放射性物質可視化カメラ１０は、電気機器２０がアルミプラグ１１より鉛直上側に配置されていることにより、その結露した水滴が電気機器２０に接触し難い。このため、放射性物質可視化カメラ１０は、その水滴が電気機器２０に及ぼす悪影響を低減することができる。
【００４６】
放射性物質可視化カメラ１０は、屋外で使用されるときに、ケース３に形成される孔から雨滴が浸入することがある。放射性物質可視化カメラ１０は、第１吸気口２１−１と第２吸気口２１−２と背面排気口２２と下面吸気口２３と第１下面排気口２４−１と第２下面排気口２４−２とがケース３のうちの電気機器２０より鉛直下側の領域に形成されている。このため、放射性物質可視化カメラ１０は、ケース３に形成される孔から浸入する雨滴が電気機器２０に及ぼす悪影響を低減することができる。
【００４７】
なお、アルミプラグ１１は、金属アルミニウムと異なる他の材料から形成される熱伝導部材に置換されることができる。その材料は、センサケース５が形成される材料の熱伝導率より大きい熱伝導率を有している。このような熱伝導部材を備える他の放射性物質可視化カメラも、既述の実施の形態における放射性物質可視化カメラと同様にして、小型化されることができる。
【００４８】
図７は、放射性物質可視化カメラの実施の他の形態を示している。その放射性物質可視化カメラ５０は、既述の実施の形態における放射性物質可視化カメラ１０のケース３が他のケース５５に置換されている。ケース５５は、ケース３と同様にして、第１吸気口２１−１と第２吸気口２１−２と背面排気口２２と下面吸気口２３と第１下面排気口２４−１と第２下面排気口２４−２とが形成されている。ケース５５は、第１上面排気口５６−１と第２上面排気口５６−２とがさらに形成されている。
【００４９】
放射性物質可視化カメラ５０は、図８に示されるように、電気機器５１をさらに備えている。電気機器５１は、冷却装置２の鉛直下側に配置されている。電気機器５１は、水滴が接触しても適切に動作するように、防水対策が施されている。電気機器５１は、電気機器２０とともに、撮像用センサ６と第１ペルチェ冷却器１２−１と第２ペルチェ冷却器１２−２と第１ファン１５−１と第２ファン１５−２とを制御する。このとき、電気機器２０は、電気機器５１と同様にして、水滴が接触しても適切に動作するように、防水対策が施されている。
【００５０】
放射性物質可視化カメラ５０は、さらに、既述の実施の形態における放射性物質可視化カメラ１０の仕切り板３５と仕切り板３６とが他の仕切り板５２、５３に置換されている。仕切り板５２は、屈曲した板に形成されている。仕切り板５２は、ケース３の内部に配置され、電気機器２０と冷却装置２との間に配置されている。仕切り板５３は、屈曲した板に形成されている。仕切り板５３は、ケース３の内部に配置され、電気機器５１と冷却装置２との間に配置されている。
【００５１】
仕切り板５２は、図９に示されるように、ケース５５とともに、第１上方ペルチェ冷却系流路６１−１と第２上方ペルチェ冷却系流路６１−２と第１上方合流部６２−１と第２上方合流部６２−２と上方筐体内部冷却系流路６３とを形成している。第１上方ペルチェ冷却系流路６１−１は、第１放熱器１４−１に接触した空気を第１上面排気口５６−１から排気する。第２上方ペルチェ冷却系流路６１−２は、第２放熱器１４−２に接触した空気を第２上面排気口５６−２から排気する。
【００５２】
第１上方合流部６２−１は、第１上方ペルチェ冷却系流路６１−１の途中に形成され、第１放熱器１４−１から第１上面排気口５６−１までの間に形成されている。第２上方合流部６２−２は、第２上方ペルチェ冷却系流路６１−２の途中に形成され、第２放熱器１４−２から第２上面排気口５６−２までの間に形成されている。
【００５３】
上方筐体内部冷却系流路６３は、センサモジュール１とケース５５との間に形成され、電気機器２０とケース５５との間に形成されている。上方筐体内部冷却系流路６３は、下面吸気口２３に接続され、第１上方合流部６２−１と第２上方合流部６２−２とに接続されている。
【００５４】
このとき、第１上方合流部６２−１は、第１上方ペルチェ冷却系流路６１−１に空気が流れることにより、空気を上方筐体内部冷却系流路６３から第１上方ペルチェ冷却系流路６１−１に吸引する。すなわち、第１上方合流部６２−１は、第１上方ペルチェ冷却系流路６１−１を空気が流れているときに、第１上方ペルチェ冷却系流路６１−１を流れる空気の流れを用いて、空気を上方筐体内部冷却系流路６３から第１上方ペルチェ冷却系流路６１−１に吸引する。第２上方合流部６２−２は、第２上方ペルチェ冷却系流路６１−２に空気が流れることにより、空気を上方筐体内部冷却系流路６３から第２上方ペルチェ冷却系流路６１−２に吸引する。すなわち、第２上方合流部６２−２は、第２上方ペルチェ冷却系流路６１−２を空気が流れているときに、第２上方ペルチェ冷却系流路６１−２を流れる空気の流れを用いて、空気を上方筐体内部冷却系流路６３から第２上方ペルチェ冷却系流路６１−２に吸引する。
【００５５】
仕切り板５３は、図１０に示されるように、ケース５５とともに、下方筐体内部冷却系流路６４を形成し、仕切り板５２と同様にして、図示されていない第１下方ペルチェ冷却系流路と第２下方ペルチェ冷却系流路と第１下方合流部と第２下方合流部とを形成している。その第１下方ペルチェ冷却系流路は、第１放熱器１４−１に接触した空気を第１下面排気口２４−１から排気する。その第２下方ペルチェ冷却系流路は、第２放熱器１４−２に接触した空気を第２下面排気口２４−２から排気する。
【００５６】
その第１下方合流部は、その第１下方ペルチェ冷却系流路の途中に形成され、第１放熱器１４−１から第１下面排気口２４−１までの間に形成されている。その第２下方合流部は、その第２下方ペルチェ冷却系流路の途中に形成され、第２放熱器１４−２から第２下面排気口２４−２までの間に形成されている。
【００５７】
下方筐体内部冷却系流路６４は、センサモジュール１とケース５５との間に形成され、電気機器５１とケース５５との間に形成されている。下方筐体内部冷却系流路６４は、下面吸気口２３に接続され、その第１下方合流部とその第２下方合流部とに接続されている。
【００５８】
このとき、その第１下方合流部は、その第１下方ペルチェ冷却系流路に空気が流れることにより、空気を下方筐体内部冷却系流路６４からその第１下方ペルチェ冷却系流路に吸引する。すなわち、その第１下方合流部は、その第１下方ペルチェ冷却系流路を空気が流れているときに、その第１下方ペルチェ冷却系流路を流れる空気の流れを用いて、空気を下方筐体内部冷却系流路６４からその第１下方ペルチェ冷却系流路に吸引する。その第２下方合流部は、その第２下方ペルチェ冷却系流路に空気が流れることにより、空気を下方筐体内部冷却系流路６４からその第２下方ペルチェ冷却系流路に吸引する。すなわち、その第２下方合流部は、その第２下方ペルチェ冷却系流路を空気が流れているときに、その第２下方ペルチェ冷却系流路を流れる空気の流れを用いて、空気を下方筐体内部冷却系流路６４からその第２下方ペルチェ冷却系流路に吸引する。
【００５９】
仕切り板５２と仕切り板５３は、図１１に示されるように、ケース５５とともに後方ペルチェ冷却系流路６５を形成している。後方ペルチェ冷却系流路６５は、既述の実施の形態における後方ペルチェ冷却系流路４１と同様にして、第１放熱器１４−１に接触した空気と第２放熱器１４−２に接触した空気とを背面排気口２２から排気する。
【００６０】
仕切り板５２は、さらに、ケース５５とともに上方合流部６６を形成している。上方合流部６６は、後方ペルチェ冷却系流路６５の途中に形成され、第１放熱器１４−１および第２放熱器１４−２から背面排気口２２までの間に形成されている。上方合流部６６は、上方筐体内部冷却系流路６３に接続されている。このとき、上方合流部６６は、後方ペルチェ冷却系流路６５に空気が流れることにより、空気を上方筐体内部冷却系流路６３から後方ペルチェ冷却系流路６５に吸引する。すなわち、上方合流部６６は、後方ペルチェ冷却系流路６５を空気が流れているときに、後方ペルチェ冷却系流路６５を流れる空気の流れを用いて、空気を上方筐体内部冷却系流路６３から後方ペルチェ冷却系流路６５に吸引する。
【００６１】
仕切り板５２は、さらに、ケース５５とともに下方合流部６７を形成している。下方合流部６７は、後方ペルチェ冷却系流路６５の途中に形成され、第１放熱器１４−１および第２放熱器１４−２から背面排気口２２までの間に形成されている。下方合流部６７は、上方筐体内部冷却系流路６３に接続されている。このとき、下方合流部６７は、後方ペルチェ冷却系流路６５に空気が流れることにより、空気を上方筐体内部冷却系流路６３から後方ペルチェ冷却系流路６５に吸引する。すなわち、下方合流部６７は、後方ペルチェ冷却系流路６５を空気が流れているときに、後方ペルチェ冷却系流路６５を流れる空気の流れを用いて、空気を上方筐体内部冷却系流路６３から後方ペルチェ冷却系流路６５に吸引する。
【００６２】
放射性物質可視化カメラ５０は、既述の実施の形態における放射性物質可視化カメラ１０と概ね同様にして動作する。すなわち、電気機器２０と電気機器５１とは、第１ファン１５−１を制御することにより、第１吸気口２１−１から吸気された空気を第１放熱器１４−１に向けて送風し、第２ファン１５−２を制御することにより、第２吸気口２１−２から吸気された空気を第２放熱器１４−２に向けて送風する。第１放熱器１４−１は、第１ファン１５−１により送風されることにより、冷却される。第２放熱器１４−２は、第２ファン１５−２により送風されることにより、冷却される。
【００６３】
電気機器２０と電気機器５１とは、さらに、第１ペルチェ冷却器１２−１を制御することにより、アルミプラグ１１から第１放熱器１４−１に熱を移動させ、第２ペルチェ冷却器１２−２を制御することにより、アルミプラグ１１から第２放熱器１４−２に熱を移動させる。アルミプラグ１１は、このような動作により冷却される。撮像用センサ６は、アルミプラグ１１が冷却されることにより、冷却される。
【００６４】
第１上方合流部６２−１と第２上方合流部６２−２と上方合流部６６とは、第１ファン１５−１と第２ファン１５−２とが送風することにより、上方筐体内部冷却系流路６３から第１上方ペルチェ冷却系流路６１−１と第２上方ペルチェ冷却系流路６１−２と後方ペルチェ冷却系流路６５とに空気を吸引する。上方筐体内部冷却系流路６３は、第１上方合流部６２−１と第２上方合流部６２−２と上方合流部６６とにより空気が吸引されることにより、空気が流れる。放射性物質可視化カメラ５０は、上方筐体内部冷却系流路６３に空気が流れることにより、電気機器２０を冷却し、ケース５５からセンサモジュール１に伝熱する熱量を低減する。
【００６５】
その第１下方合流部と第２下方合流部と下方合流部６７とは、第１ファン１５−１と第２ファン１５−２とが送風することにより、下方筐体内部冷却系流路６４から第１下方ペルチェ冷却系流路４２−１と第２下方ペルチェ冷却系流路４２−２と後方ペルチェ冷却系流路６５とに空気を吸引する。下方筐体内部冷却系流路６４は、その第１下方合流部と第２下方合流部と下方合流部６７とにより空気が吸引されることにより、空気が流れる。放射性物質可視化カメラ５０は、下方筐体内部冷却系流路６４に空気が流れることにより、電気機器５１を冷却し、ケース５５からセンサモジュール１に伝熱する熱量を低減する。
【００６６】
電気機器２０と電気機器５１とは、撮像用センサ６が冷却されているときに、既述の実施の形態における放射性物質可視化カメラ１０の電気機器２０と同様にして、撮像用センサ６を制御することにより、放射線データを測定する。
【００６７】
このような放射性物質可視化カメラ５０は、既述の実施の形態における放射性物質可視化カメラ１０と同様にして、電気機器２０と電気機器５１とが過熱することが防止され、ケース３からセンサモジュール１に伝熱する熱量を低減し、放射線データを適切に測定することができる。
【００６８】
放射性物質可視化カメラ５０は、さらに、第１ファン１５−１と第２ファン１５−２とにより生成される空気の流れを用いて上方筐体内部冷却系流路６３と下方筐体内部冷却系流路６４とに空気を流すことができる。このため、放射性物質可視化カメラ５０は、上方筐体内部冷却系流路６３と下方筐体内部冷却系流路６４とに空気を送風するファンを備える他の放射性物質可視化カメラに比較して、より軽量に、より小型に形成されることができる。
【００６９】
放射性物質可視化カメラ５０は、アルミプラグ１１が冷却されることにより、アルミプラグ１１の周辺が結露し、その結露した水滴が落下することがある。電気機器５１は、防水対策が施されていることにより、その結露した水滴が接触した場合でも、適切に動作することができる。放射性物質可視化カメラ５０は、屋外で使用されるときに、ケース３に形成される孔から雨滴が浸入することがある。電気機器２０は、防水対策が施されていることにより、その浸入した雨滴が接触した場合でも、適切に動作することができる。
【００７０】
既述の実施の形態における放射性物質可視化カメラ１０は、電気機器２０がアルミプラグ１１の鉛直上側に配置されていることにより、アルミプラグ１１の周辺に結露した水滴が電気機器２０に接触し難く、電気機器２０に施す防水対策の程度を低減することができる。既述の実施の形態における放射性物質可視化カメラ１０の電気機器２０は、電気機器２０に施す防水対策の程度を低減することにより、電気機器５１に比較して、より容易に作製されることができる。
【００７１】
既述の実施の形態における放射性物質可視化カメラ１０は、さらに、ケース３の上面に孔が形成されていないことにより、ケース３の内部に雨滴が浸入し難く、電気機器２０に施す防水対策の程度を低減することができる。既述の実施の形態における放射性物質可視化カメラ１０は、電気機器２０に施す防水対策の程度を低減することにより、放射性物質可視化カメラ５０に比較して、より容易に作製されることができる。
【符号の説明】
【００７２】
１  ：センサモジュール
２  ：冷却装置
３  ：ケース
１０：放射性物質可視化カメラ
１１：アルミプラグ
１２−１：第１ペルチェ冷却器
１２−２：第２ペルチェ冷却器
１４−１：第１放熱器
１４−２：第２放熱器
１５−１：第１ファン
１５−２：第２ファン
２０：電気機器
２１−１：第１吸気口
２１−２：第２吸気口
２２：背面排気口
２３：下面吸気口
２４−１：第１下面排気口
２４−２：第２下面排気口
３５：仕切り板
３６：仕切り板
４１：後方ペルチェ冷却系流路
４２−１：第１下方ペルチェ冷却系流路
４２−２：第２下方ペルチェ冷却系流路
４３：筐体内部冷却系流路
４４：合流部
５０：放射性物質可視化カメラ
５１：電気機器
５２：仕切り板
５３：仕切り板
５５：ケース
５６−１：第１上面排気口
５６−２：第２上面排気口
６１−１：第１上方ペルチェ冷却系流路
６１−２：第２上方ペルチェ冷却系流路
６２−１：第１上方合流部
６２−２：第２上方合流部
６３：上方筐体内部冷却系流路
６４：下方筐体内部冷却系流路
６５：後方ペルチェ冷却系流路
６６：上方合流部
６７：下方合流部
【図１】
2014185909.tif 000003
【図２】
2014185909.tif 000004
【図３】
2014185909.tif 000005
【図４】
2014185909.tif 000006
【図５】
2014185909.tif 000007
【図６】
2014185909.tif 000008
【図７】
2014185909.tif 000009
【図８】
2014185909.tif 000010
【図９】
2014185909.tif 000011
【図１０】
2014185909.tif 000012
【図１１】
2014185909.tif 000013